(57)【要約】【課題】筐体内のフレキシブル基板と回路基板との間に生ずる電気的ノイズを減衰させることにある。【解決手段】筐体２と、筐体２内に配設された回路基板７と、筐体２内に配設された電子装置９ａと、電子装置９ａを保持して筐体２内に配設された保持部材８と、一端部が電子装置９ａと電気的に接続されるとともに他端部が回路基板７と電気的に接続されて筐体２内に配設されたＦＰＣ９ｂとを有する電子機器であって、ＦＰＣ９ｂは、回路基板７と対向して配置される対向部位を有し、保持部材８は、回路基板７とＦＣＰ９ｂの前記対向部位との間に延在する延在部８ｂを有することを特徴とするものである。【選択図】図５
2008182609.tif 000002
【特許請求の範囲】
【請求項１】
筐体と、
前記筐体内に配設された回路基板と、
前記筐体内に配設された電子装置と、
前記電子装置を保持して前記筐体内に配設された保持部材と、
一端部が前記電子装置と電気的に接続されるとともに他端部が前記回路基板と電気的に接続されて前記筐体内に配設されたフレキシブルプリント基板と、を有し、
前記フレキシブルプリント基板は、前記回路基板と対向する対向部位を有し、
前記保持部材は、前記回路基板と前記フレキシブルプリント基板の前記対向部位との間に延在する延在部を有する、ことを特徴とする電子機器。
【請求項２】
前記回路基板上の、前記延在部と対向する領域には電子部品が配設される、ことを特徴とする請求項１記載の電子機器。
【請求項３】
前記延在部の、前記フレキシブルプリント基板の前記対向部位と対向する部位の輪郭により形成される領域の面積は、前記フレキシブルプリント基板の前記対向部位の輪郭により形成される領域の面積と同一かまたはそれより広い、ことを特徴とする請求項１または請求項２記載の電子機器。
【請求項４】
前記フレキシブルプリント基板の他端部と前記回路基板とが電気的に接続されるコネクター部が、前記回路基板上の、前記延在部と対向する領域に前記電子部品として配設される、ことを特徴とする請求項１から請求項３までの何れか一項記載の電子機器。
【請求項５】
前記フレキシブルプリント基板は、前記延在部と前記筐体の内面とにより挟持される、ことを特徴とする請求項１から請求項４までの何れか一項記載の電子機器。
【請求項６】
前記フレキシブルプリント基板における、前記延在部と対向する部位には、前記電子部品を駆動するための電子回路が配設される、ことを特徴とする請求項１から請求項５までの何れか一項記載の電子機器。
【請求項７】
前記延在部は、前記回路基板に対向する方向に突出して前記回路基板に当接されるリブを有し、
前記電子部品を駆動するための電子回路は、前記フレキシブルプリント基板の、前記リブに対応する領域に配設される、ことを特徴とする請求項６記載の電子機器。
【請求項８】
前記延在部は、前記回路基板に対向する方向に突出して前記回路基板に当接されるリブを有し、
前記リブは、前記回路基板上の、前記延在部と対向する領域に配設された電子部品を囲繞する、ことを特徴とする請求項２記載の電子機器。
【請求項９】
前記保持部材は弾性部材で形成されている、ことを特徴とする請求項１から請求項８までの何れか一項記載の電子機器。
【請求項１０】
前記保持部材は電気的絶縁材料で形成されている、ことを特徴とする請求項１から請求項９までの何れか一項記載の電子機器。
【発明の詳細な説明】
【技術分野】
【０００１】
この発明は、筐体内に回路基板と電子装置とを配設されて備えるとともに、その筐体内にそれら回路基板と電子装置とに両端部が接続されたフレキシブルプリント基板を配設されて備える電子機器に関するものである。
【背景技術】
【０００２】
筐体内に回路基板と電子装置とを配設されて備えるとともに、その筐体内にそれら回路基板と電子装置とに両端部が接続されたフレキシブルプリント基板を配設されて備える電子機器としては従来、例えば本願出願人が先に開示した特許文献１記載の携帯無線機が知られており、この携帯無線機は、筐体内に、電子装置としての液晶（ＬＣＤ）ユニットと、回路基板としてのメイン基板とを配設されて備えるとともに、両端部をそれらＬＣＤユニットとメイン基板とに接続されたフレキシブルプリント基板（ＦＰＣ）を配設されて備えている。
【特許文献１】特開平１１−１８７０９６号公報
【発明の開示】
【発明が解決しようとする課題】
【０００３】
ところで上記従来の携帯無線機によれば、電子装置としてのＬＣＤユニットの配置の自由度をＦＰＣの利用によって高めることはできるものの、そのＦＰＣとメイン基板とが直接対向しているため、そのＦＰＣとメイン基板との間に電気的ノイズが生ずる可能性があるという、改良することが望ましい点があった。
【課題を解決するための手段】
【０００４】
この発明は、上記課題を有利に解決することを目的とするものであり、この発明の電子機器は、筐体と、前記筐体内に配設された回路基板と、前記筐体内に配設された電子装置と、前記電子装置を保持して前記筐体内に配設された保持部材と、一端部が前記電子装置と電気的に接続されるとともに他端部が前記回路基板と電気的に接続されて前記筐体内に配設されたフレキシブルプリント基板と、を有し、前記フレキシブルプリント基板は、前記回路基板と対向して配置される対向部位を有し、前記保持部材は、前記回路基板と前記フレキシブルプリント基板の前記対向部位との間に延在する延在部を有する、ことを特徴としている。
【発明の効果】
【０００５】
かかるこの発明の電子機器にあっては、筐体内に配設された回路基板と、その筐体内に配設された電子装置とに両端部を接続されてその筐体内に配設されたフレキシブルプリント基板の、回路基板と対向する対向部位と、その回路基板との間に、その筐体内に配設されて上記電子装置を保持する保持部材の延在部が延在している。
【０００６】
従って、この発明の電子機器によれば、筐体内のフレキシブル基板と回路基板との間に生ずる電気的ノイズを、それらフレキシブル基板と回路基板との間の介在物となる延在部によって好適に減衰させることができる。
【発明を実施するための最良の形態】
【０００７】
以下、本発明の実施の形態を実施例によって、図面に基づき詳細に説明する。ここに、図１は、この発明の電子機器の一実施例としての折畳式携帯電話機の、表示側筐体の内部構成を示す分解斜視図であり、図２（ａ），（ｂ）は、その実施例の折畳式携帯電話機の全体を、表示側筐体と文字入力側筐体とを相互に開いた状態でフロントケース側およびリアケース側から見てそれぞれ示す斜視図であり、図３は、上記実施例の折畳式携帯電話機の表示側筐体に組み込まれるサブＬＣＤホルダーを単体で示す正面図であり、図４（ａ），（ｂ），（ｃ）は、上記実施例の折畳式携帯電話機の表示側筐体に組み込まれるＬＣＤユニットにサブＬＣＤホルダーで保持したサブＬＣＤを組み付けた状態を示す正面図、背面図および、その正面図中のＡ−Ａ線に沿う断面図である。
【０００８】
また、図５（ａ），（ｂ），（ｃ）は、上記ＬＣＤユニットを構成する回路基板上にサブＬＣＤホルダーを介してサブＬＣＤを搭載した状態、その（ａ）の状態からサブＬＣＤのみを除いた状態、およびその（ｂ）の状態からさらにサブＬＣＤホルダーを除いた状態をそれぞれ示す斜視図であり、図６（ａ），（ｂ），（ｃ），（ｄ）は、上記実施例の折畳式携帯電話機の表示側筐体をリアケース側から見た背面図、その表示側筐体をリアケースを除いた状態で示す背面図、それらの背面図中のＢ−Ｂ線に沿う断面図および、（ａ）中のＣ−Ｃ線に沿う断面図、そして図７（ａ），（ｂ）は、上記サブＬＣＤホルダーの構成の他の二例をそれぞれ裏側から見て示す斜視図である。なお、図中、符号１はこの実施例の折畳式携帯電話機を示している。
【０００９】
この実施例の折畳式携帯電話機１は、図２に示すように、表示側筐体２（筐体）と文字入力側筐体３とを備え、表示側筐体２は、フロントケース２ａとリアケース２ｂとが相互に嵌合されるとともにケース固定用ネジで固定されて構成され、また、文字入力側筐体３も、フロントケース３ａとリアケース３ｂとが相互に嵌合されるとともにケース固定用ネジで固定されて構成されている。そしてこれら表示側筐体２と文字入力側筐体３とは、ヒンジ部４を介して相互に開閉自在に連結されており、さらに表示側筐体２はヒンジ部４に、当該折畳式携帯電話機１の長手方向に延在する軸線周りに１８０度反転可能に連結されている。
【００１０】
表示側筐体２は、図１に示すように、フロントケース２ａの外側に、スイッチボタンの内容を表示するスイッチボタン表示ケース２ｃが搭載されたトリムプレート２ｄを嵌着されるとともに、フロントケース２ａとリアケース２ｂとの内部に、メインＬＣＤ５と、金属製のフレーム６と、回路基板７と、電気的絶縁材料の例えばゴム状弾性部材で形成された、ここでは図示しない保持部材としてのサブＬＣＤホルダー（図３に示すサブＬＣＤホルダー８）と、電子装置としてのサブＬＣＤ９とを、フロントケース２ａ側から上記の順で内蔵しており、メインＬＣＤ５は、フロントケース２ａからトリムプレート２ｄを介して外部から視認可能とされ、その一方、サブＬＣＤ９は、リアケース２ｂの中央部の透明窓２ｅを介して外部から視認可能とされている。またその回路基板７には、スピーカ等の各種電子部品が実装されて電気的に接続されている。
【００１１】
一方、文字入力側筐体３は、フロントケース３ａとリアケース３ｂとの内部に、図示しない回路基板を内蔵するとともに、その回路基板に重ねて通電部材および電磁シールド部材としての金属製の図示しないシールドケースを内蔵しており、そのシールドケースには、複数のキースイッチを搭載した図示しないキーフレキシブル基板（キーＦＰＣ）が重ねられている。そしてそのキーＦＰＣには、図示しないキーシートが重ねて配置され、そのキーシートの上記キースイッチと対向する位置には操作キー１１がそれぞれ配置され、この操作キー１１がフロントケース３ａから表出している。また上記回路基板には、マイク等の各種電子部品が実装されて電気的に接続されている。
【００１２】
ここで、メインＬＣＤ５は、ＬＣＤ本体５ａの一端部（図１では左方端部）から延出するとともにその上にＬＣＤ本体５ａの駆動用の図示しない昇圧回路を実装したフレキシブルプリント基板（ＦＰＣ）５ｂと、ＬＣＤ本体５ａの背面側（図１では下方）に突出する三箇の爪５ｃとを有している。またフレーム６は、正面（図１では上向きの面）側にＬＣＤ本体５ａが嵌まり込む凹部６ａを有するとともに、背面（図１では下向きの面）側に回路基板７が嵌まり込む凹部６ｂを有し、さらにＬＣＤ本体５ａの三箇の爪５ｃに対応する位置にそれぞれ貫通孔６ｃを有している。そして回路基板７は、ＬＣＤ本体５ａの三箇の爪５ｃに対応する外周縁位置にそれぞれ形成された浅い切り欠き状の係合部７ａを有している。
【００１３】
これにより、図４に示すように、ＬＣＤ本体５ａがフレーム６の凹部６ａ内に嵌まり込むとともに、回路基板７がフレーム６の凹部６ｂ内に嵌まり込んだ状態で、ＬＣＤ本体５ａの三箇の爪５ｃがフレーム６の三個の貫通孔６ｃをそれぞれ貫通して、回路基板７の外周縁の三箇所の係合部７ａに嵌り合って回路基板７と係合し、ＬＣＤ本体５ａとフレーム６と回路基板７とが一体化してＬＣＤユニット１０を構成する。
【００１４】
そしてそのＬＣＤユニット１０に組み立てた状態では、メインＬＣＤ５のＦＰＣ５ｂは、図４および図５に示すように、ＬＣＤ本体５ａの背面側（図５（ｃ）では上方）に折り曲げられていて、フレーム６の凹部６ｂ内に位置してＬＣＤ本体５ａの背面側に対向する対向部５ｄを有しており、そのＦＰＣ５ｂの対向部５ｄから側方に突出する側部５ｅは、さらに回路基板７の外側（図４（ａ）では紙面上方側）に折り返され、その折り返されたＦＰＣ５ｂの側部５ｅに設けられたコネクター５ｆは、基板７上のコネクター７ｂと互いに対向して接続される。これによりメインＬＣＤ５は、回路基板７に電気的に接続されている。
【００１５】
一方、サブＬＣＤ９は、ＬＣＤ本体９ａの一側部（図１では手前側の側部）に一端部を電気的に接続されてその側部から延出するフレキシブルプリント基板（ＦＰＣ）９ｂを有しており、そのＦＰＣ９ｂ上にはＬＣＤ本体９ａの駆動用の電子回路９ｃが実装されている。またサブＬＣＤホルダー８は、図３に示すように、中央部にサブＬＣＤ９を嵌着されて保持する保持孔８ａと、延在部としての、側方に延出するコネクター保護部８ｂと、フレーム６や回路基板７への固定部８ｃと、切り欠き部８ｄとを有して、図４に示すように、サブＬＣＤ９をその表示面（図４では紙面上方へ向く面）の全部または大部分を露出させた状態で保持する。そして、サブＬＣＤ９のＬＣＤ本体９ａは、図４に示すように、固定部８ｃの、フレーム６への嵌着等によって固定されたサブＬＣＤホルダー８を介してＬＣＤユニット１０に搭載され、そのサブＬＣＤ９のＦＰＣ９ｂは、サブＬＣＤホルダー８のコネクター保護部８ｂ上に延在し、コネクター保護部８ｂの先端を越えた位置で折り曲げられてコネクター保護部８ｂと回路基板７との間に挟まれ、他端部であるその挟まれた先端部９ｄに設けられたコネクター９ｅは、基板７上のコネクター７ｃに差し込まれて接続される。これによりサブＬＣＤ９も、回路基板７に電気的に接続されている。
【００１６】
このＬＣＤユニット１０における回路基板７は、図５にサブＬＣＤ９とサブＬＣＤホルダー８とを順次に省略して示すように、中央部にサブＬＣＤ９のＬＣＤ本体９ａを搭載するための領域を有するとともに、側部にサブＬＣＤホルダー８のコネクター保護部８ｂで覆われる保護領域Ｒを有しており、サブＬＣＤ９のＦＰＣ９ｂのコネクター９ｅとコネクター７ｃとは、この保護領域Ｒ内に位置しているので、図６（ｄ）に示すように、コネクター９ｅは、コネクター保護部８ｂと回路基板７との間に挟持される。これにより、折畳式携帯電話機１の落下時等の衝撃でコネクター９ｅ，７ｃが外れてしまうのを抑制することができる。
【００１７】
また、このこの保護領域Ｒ内には図示しない他の電子部品も実装されており、その電子部品は、コネクター保護部８ｂでＦＰＣ９ｂから隔てられて、ＦＰＣ９ｂとの接触によるショートを防止され、さらにその電子部品およびコネクター９ｅ，７ｃは、非導電性の例えばゴム状弾性部材で形成されたコネクター保護部８ｂで覆われているので、静電気やノイズの侵入からも保護されている。しかもここでは、ＦＰＣ９ｂと対向するコネクター保護部８ｂの輪郭により形成される領域の面積が、ＦＰＣ９ｂの、回路基板７と対向する部位（コネクター保護部８ｂ上に延在する部位）の輪郭により形成される領域の面積と実質的に同一とされ、コネクター保護部８ｂの上記領域は、ＦＰＣ９ｂの上記領域を実質的に全て回路基板７から遮っているので、沿面距離を大きくし得て、保護領域Ｒ内の電子部品とＦＰＣ９ｂとのショートをより好適に防止することができる。
【００１８】
さらにここでは、サブＬＣＤ９のＦＰＣ９ｂが、サブＬＣＤホルダー８の、非導電性の例えばゴム状弾性部材で形成されたコネクター保護部８ｂで支持されてその上に延在しているので、ＦＰＣ９ｂの、コネクター保護部８ｂ上に延在する部分に搭載した電子回路９ｃの如き電子回路を弾性的に支持してその電子回路を落下時等の衝撃から保護するとともに、その電子回路分、回路基板７の面積を減らすことができる。
【００１９】
かかるＬＣＤユニット１０は、この実施例の折畳式携帯電話機１が組み立てられた状態では、図６に示すように、表示側筐体２のリアケース２ｂ内に嵌め込まれて表示側筐体２内に配設されており、この状態では、サブＬＣＤ９のＦＰＣ９ｂは、図６（ｄ）に示すように、表示側筐体２のリアケース２ｂの内面と、サブＬＣＤホルダー８のコネクター保護部８ｂとの間に挟持される。これによりＦＰＣ９ｂ上の電子回路９ｃによるサブＬＣＤ９の駆動に起因するＦＰＣ９ｂの振動を制振して表示側筐体２内での音鳴りを抑制することができる。しかもＦＰＣ９ｂの振動を制振するために別途に部材を用意する必要がないので、部品点数の削減および表示側筐体２ひいては折畳式携帯電話機１全体の薄型化を図ることができる。
【００２０】
またＬＣＤユニット１０が表示側筐体２内に組み込まれた状態では、ＦＰＣ５ｂの対向部５ｄは、図６（ｃ）に示すように、フレーム６の凹部６ｂの底面に沿っていて、その対向部５ｄの中央部は、後述する発光ダイオード（ＬＥＤ）を囲む図示しない弾性部材により、フレーム６の凹部６ｂの底面に押さえ付けられている。
【００２１】
さらにこの実施例では、図５および図６に示すように、回路基板７はフレーム６から突出する延在部７ｄを有するとともに、その延在部７ｄの先端部に部品搭載部７ｅを有しており、その延在部７ｄにより、ＬＣＤユニット１０の組み立て状態ではＦＰＣ５ｂの対向部５ｄの側部もフレーム６の凹部６ｂの底面に押さえ付けている。これらの押さえ付けにより、メインＬＣＤ５の駆動に起因するＦＰＣ５ｂの振動を制振して表示側筐体２内での音鳴りを抑制することができる。そして部品搭載部７ｅは、折畳式携帯電話機１の先端部に位置するので、その部品搭載部７ｅには、赤外線通信（ＩＲＤＡ）モジュール７ｆおよびイヤースピーカー用コネクター７ｇが両面に振り分けられて搭載されている。
【００２２】
さらにこの実施例では、サブＬＣＤホルダー８の切り欠き部８ｄの内側に位置する、回路基板７の端部に、図示しない発光ダイオード（ＬＥＤ）が搭載され、また対向部５ｄの中央部に対向する、表示側筐体２のリアケース２ｂの中央部には図示しない透光窓が設けられ、その透光窓の周囲を囲んで遮光するように上記弾性部材が設けられており、着信時等にそのＬＥＤが発光し、その光をリアケース２ｂの上記透光窓を介して見ることができる。
【００２３】
かかる実施例の折畳式携帯電話機１にあっては、表示側筐体２内に配設された回路基板７と、その表示側筐体２内に配設されたサブＬＣＤ９のＬＣＤ本体９ａとに両端部を接続されてその表示側筐体２内に配設されたＦＰＣ９ｂの、回路基板７と対向する対向部位と、その回路基板７との間に、図５および図６から明らかなように、その表示側筐体２内に配設されてサブＬＣＤ９のＬＣＤ本体９ａを保持するサブＬＣＤホルダー８のコネクター保護部８ｂが延在している。
【００２４】
従って、この実施例の折畳式携帯電話機１によれば、表示側筐体２内のＦＰＣ９ｂと回路基板７との間に生ずる電気的ノイズを、それらＦＰＣ９ｂと回路基板７との間の介在物となるコネクター保護部８ｂによって好適に減衰させることができる。
【００２５】
図７（ａ），（ｂ）は、上記サブＬＣＤホルダー８の二種類の変形例を示しており、上記例では、サブＬＣＤホルダー８のコネクター保護部８ｂの、回路基板７と対向する裏面は平坦に形成されていたが、図７（ａ）に示す変形例では、そのコネクター保護部８ｂの裏面にリブ８ｅが、ＦＰＣ９ｂ上の電子回路９ｃの位置に対応して位置して、その電子回路９ｃに概ね対応する寸法および形状で、回路基板７と対向して突設されており、このリブ８ｅによれば、コネクター保護部８ｂの他の部分より厚みがあって、より大きく弾性変形可能であるので、サブＬＣＤ９の駆動用の電子回路９ｃを落下等の衝撃から好適に保護することができる。
【００２６】
また、図７（ｂ）に示す変形例では、サブＬＣＤホルダー８のコネクター保護部８ｂの裏面にリブ８ｅが、外周縁部に沿うとともに間の空間を仕切る形状で、回路基板７と対向して突設されており、このリブ８ｅによれば、上記保護領域Ｒ内に実装された電子部品を囲繞して保護し、その電子部品の半田付けの外れ等を好適に防止することができる。
【００２７】
以上、図示例に基づき説明したが、この発明は上述の例に限定されるものでなく、特許請求の範囲の記載範囲内で適宜変更し得るものであり、例えばこの発明の電子機器は、携帯電話機以外の、例えばパームトップコンピュータやゲーム機等の携帯電子機器にも、あるいはそれ以外の電子機器にも適用することができる。
【００２８】
また、上述した実施例ではサブＬＣＤホルダー８を非導電性のゴム状弾性部材で形成しているが、その代わりに軟質プラスチックまたは、表面を絶縁コーティングした金属で形成しても良い。
【００２９】
さらに、上述した実施例では電子装置はサブＬＣＤ９としているが、その代わりに有機型電子発光表示装置（ＯＥＬＤ）であっても良く、あるいはデジタルカメラモジュールやＬＥＤ、バイブレーター等であっても良い。
【産業上の利用可能性】
【００３０】
かくしてこの発明の電子機器によれば、筐体内のフレキシブル基板と回路基板との間に生ずる電気的ノイズを、それらフレキシブル基板と回路基板との間の介在物となる延在部によって好適に減衰させることができる。
【図面の簡単な説明】
【００３１】
【図１】この発明の電子機器の一実施例としての折畳式携帯電話機の、表示側筐体の内部構成を示す分解斜視図である。
【図２】（ａ），（ｂ）は、上記実施例の折畳式携帯電話機の全体を、表示側筐体と文字入力側筐体とを相互に開いた状態でフロントケース側およびリアケース側から見てそれぞれ示す斜視図である。
【図３】上記実施例の折畳式携帯電話機の表示側筐体に組み込まれるサブＬＣＤホルダーを単体で示す正面図である。
【図４】（ａ），（ｂ），（ｃ）は、上記実施例の折畳式携帯電話機の表示側筐体に組み込まれるＬＣＤユニットにサブＬＣＤホルダーで保持したサブＬＣＤを組み付けた状態を示す正面図、背面図および、その正面図中のＡ−Ａ線に沿う断面図である。
【図５】（ａ），（ｂ），（ｃ）は、上記ＬＣＤユニットを構成する回路基板上にサブＬＣＤホルダーを介してサブＬＣＤを搭載した状態、その（ａ）の状態からサブＬＣＤのみを除いた状態、およびその（ｂ）の状態からさらにサブＬＣＤホルダーを除いた状態をそれぞれ示す斜視図である。
【図６】（ａ），（ｂ），（ｃ），（ｄ）は、上記実施例の折畳式携帯電話機の表示側筐体をリアケース側から見た背面図、その表示側筐体をリアケースを除いた状態で示す背面図、それらの背面図中のＢ−Ｂ線に沿う断面図および、（ａ）中のＣ−Ｃ線に沿う断面図である。
【図７】（ａ），（ｂ）は、上記サブＬＣＤホルダーの二種類の変形例をそれぞれ裏側から見て示す斜視図である。
【符号の説明】
【００３２】
１  折畳式携帯電話機
２  表示側筐体
２ａ  フロントケース
２ｂ  リアケース
２ｃ  スイッチボタン表示ケース
２ｄ  トリムプレート
２ｅ  透明窓
３  文字入力側筐体
３ａ  フロントケース
３ｂ  リアケース
４  ヒンジ部
５  メインＬＣＤ
５ａ  ＬＣＤ本体
５ｂ  ＦＰＣ
５ｃ  爪
５ｄ  対向部
５ｅ  側部
５ｆ  コネクター
６  フレーム
６ａ，６ｂ  凹部
６ｃ  貫通孔
７  回路基板
７ａ  係合部
７ｂ，７ｃ  コネクター
７ｄ  延在部
７ｅ  部品搭載部
７ｆ  ＩＲＤＡモジュール
７ｇ  イヤースピーカー用コネクター
８  サブＬＣＤホルダー
８ａ  保持孔
８ｂ  コネクター保護部
８ｃ  固定部
８ｄ  切り欠き部
９  サブＬＣＤ
９ａ  ＬＣＤ本体
９ｂ  ＦＰＣ
９ｃ  電子回路
９ｄ  先端部
９ｅ  コネクター
１０  ＬＣＤユニット
１１  操作キー
Ｒ  保護領域
【図１】
2008182609.tif 000003
【図２】
2008182609.tif 000004
【図３】
2008182609.tif 000005
【図４】
2008182609.tif 000006
【図５】
2008182609.tif 000007
【図６】
2008182609.tif 000008
【図７】
2008182609.tif 000009